(57)【特許請求の範囲】
【請求項１】
フイルム送出口を遮光する閉じ位置と開放する開き位置との間で回動自在な遮光蓋と、この遮光蓋を閉じ位置にロックするロック部材とを備えた写真フイルムカートリッジをカートリッジ収納室から取り出す前に、前記遮光蓋を閉じ位置に回動させる写真フイルムカートリッジの遮光蓋閉止機構において、
前記カートリッジ収納室に組み付けられて遮光蓋の端部に係合し、遮光蓋を開き位置から閉じ位置に回動する遮光蓋駆動部材と、
この遮光蓋駆動部材を閉じ位置に向けて付勢するバネと、
一端部が遮光蓋駆動部材と一体に設けられ、他端部がフイルム送出口の近傍で写真フイルムに当接している間はバネの付勢に抗して遮光蓋駆動部材を開き位置に保持するフイルム検知レバーとからなり、
全ての写真フイルムがカートリッジ本体の内に収納され、前記フイルム検知レバーが写真フイルムに規制されなくなった際には、遮光蓋駆動部材がバネの付勢力により回動して遮光蓋を開き位置から閉じ位置に回動してフイルム送出口を遮光するとともに、前記遮光蓋駆動部材は、開き位置から閉じ位置に回動する際に、前記ロック部材に当接しない位置で遮光蓋の端部に係合することを特徴とする写真フイルムカートリッジの遮光蓋閉止機構。
【発明の詳細な説明】
【０００１】
【産業上の利用分野】
本発明は、フイルム送出口を開閉する遮光蓋を備えた写真フイルムカートリッジの遮光蓋を閉じる写真フイルムカートリッジの遮光蓋閉止機構に関するものである。
【０００２】
【従来の技術】
カートリッジ本体内に回動自在に設けられ、写真フイルムを巻き付けたスプールを写真フイルム送り出し方向へ回転することにより、写真フイルムの先端部をカートリッジ本体に形成したフイルム送出口から外部に送り出すようにした樹脂製の写真フイルムカートリッジが知られている（例えば特開平６−１３０５５９号公報）。このような写真フイルムカートリッジには、フイルム送出口を遮光するめに、従来のテレンプに代わって、フイルム送出口を開放する開き位置とフイルム送出口を遮光する閉じ位置との間で回動自在に取り付けられた樹脂製の遮光蓋が用いられている。
【０００３】
このような遮光蓋を備えた写真フイルムカートリッジは、カメラやレンズ付きフイルムユニットのカートリッジ収納室から取り出される際に確実に遮光蓋が閉じられていなければならない。そのため、本出願人は、カートリッジ収納室の上部に遮光蓋の一端側に係合して遮光蓋を閉じ位置側へ付勢するバネ仕掛けの係合ピンを設けるとともに、カートリッジ収納室の底蓋に遮光蓋の他端側に係合して遮光蓋を開き位置に保持する係止部材を設けた発明を提案している（例えば特願平６−３０５０５７号）。これによれば、撮影終了後にカートリッジ収納室の底蓋を開けると、係止部材と遮光蓋の他端側との係合が解除され、遮光蓋の一端側に係合された係合ピンが遮光蓋を閉じ位置に回動させるから、確実にフイルム送出口が遮光された状態で写真フイルムカートリッジの取出しを行なうことができる。
【０００４】
【発明が解決しようとする課題】
ところが、上述した係止部材と遮光蓋の他端側との係合解除は底蓋を開き始めてから行なわれるため、底蓋の開け動作を高速で行なった場合には、遮光蓋が完全に閉じる前に底蓋が開放されることがあり、外光によってカートリッジ本体内の写真フイルムの一部に光被りが発生することがあった。
【０００５】
本発明は上記問題点に鑑みてなされたもので、写真フイルムが光被りを起こすことなく写真フイルムカートリッジをカートリッジ収納室から安全，確実に取り出すことができるようにした写真フイルムカートリッジの遮光蓋閉止機構を提供することを目的とする。
【０００６】
【課題を解決するための手段】
上記問題点を解決するために、本発明の写真フイルムカートリッジの遮光蓋閉止機構は、フイルム送出口を遮光する閉じ位置と開放する開き位置との間で回動自在な遮光蓋と、この遮光蓋を閉じ位置にロックするロック部材とを備えた写真フイルムカートリッジをカートリッジ収納室から取り出す前に、前記遮光蓋を閉じ位置に回動させる写真フイルムカートリッジの遮光蓋閉止機構において、前記カートリッジ収納室に組み付けられて遮光蓋の端部に係合し、遮光蓋を開き位置から閉じ位置に回動する遮光蓋駆動部材と、この遮光蓋駆動部材を閉じ位置に向けて付勢するバネと、一端部が遮光蓋駆動部材と一体に設けられ、他端部がフイルム送出口の近傍で写真フイルムに当接している間はバネの付勢に抗して遮光蓋駆動部材を開き位置に保持するフイルム検知レバーとからなり、全ての写真フイルムがカートリッジ本体の内に収納され、前記フイルム検知レバーが写真フイルムに規制されなくなった際には、遮光蓋駆動部材がバネの付勢力により回動して遮光蓋を開き位置から閉じ位置に回動してフイルム送出口を遮光するとともに、前記遮光蓋駆動部材は、開き位置から閉じ位置に回動する際に、前記ロック部材に当接しない位置で遮光蓋の端部に係合することを特徴とする。
【０００９】
【作用】
写真フイルムはスプールの回転によってカートリッジ本体内に収納されていき、フイルム検知レバーが写真フイルムを検出しなくなると、遮光蓋駆動部材はバネの付勢によって回動され、遮光蓋が開き位置から閉じ位置に回動される。したがって、カートリッジ収納室を開放する以前に写真フイルムカートリッジの遮光蓋が閉じられるため、写真フイルムが光被りを起こすことなく写真フイルムカートリッジのカートリッジ収納室からの取出しが安全，確実に行なわれる。
【００１０】
【実施例】
本発明の遮光蓋閉止機構を搭載したレンズ付きフイルムユニットを示す図２において、レンズ付きフイルムユニット２は、薄型化の向上を図ったタイプのものであり、撮影機構等が内蔵されたユニット本体３とこれを収納する紙箱４とから構成されている。紙箱４は、ユニット本体３に組み込まれた巻上げノブ５，シャッタボタン６等を露呈させるような輪郭となっており、また撮影レンズ７，ファインダ８及び撮影枚数表示窓９等を露出させるための穴等が設けられている。
【００１１】
ユニット本体３の構成を示す図３において、ユニット本体３は、本体部１１と、この本体部１１に装填されるカートリッジ本体１２及び写真フイルム１３とからなる写真フイルムカートリッジ１４と、本体部１１の前面に取り付けられる露光ユニット１５と、本体部１１の背面側及び前面側に組み付けられる後カバー１６及び前カバー１７とから構成されている。
【００１２】
本体部１１は、遮光性プラスチックで形成されており、光軸１９上に遮光筒２０が一体に設けられている。この遮光筒２０の前面には、露光開口２０ａが形成されており、裏側には写真フイルム１３への露光範囲を決定するアパーチャーが形成されている。遮光筒２０の両側には、カートリッジ本体１２を収納するカートリッジ収納室２１と、写真フイルム１３をロール状にして収納するフイルムロール室２２とが形成されている。カートリッジ収納室２１の外壁前面は、フイルムロール室２２の外壁前面よりも前方に突出した形状となっている。
【００１３】
カートリッジ収納室２１の上壁２１ａには、カートリッジ本体１２のフイルム送出口を開閉する遮光蓋２４を駆動する遮光蓋閉止機構２５（図１参照）が設けられ、カバー板２３によって保護されている。また、カバー板２３の上面には、カートリッジ本体１２のスプール２６に係合するキー軸２７が下部に形成された巻上げノブ５が組み付けられている。また、遮光筒２０の上部には、カートリッジ収納室２１とフイルムロール室２２との間に配置された写真フイルム１３の上端縁に対面する開口２８が形成されている。この開口２８には、露光ユニット１５に組み込まれ、写真フイルム１３のパーフォレーション２９（図１参照）に係合してシャッタチャージ等を行なうスプロケット（図示せず）が挿入される。
【００１４】
後カバー１６は、遮光性プラスチックで形成されており、本体部１１のアパーチャーに対面する部分にフイルム支持面３２が形成されている。底面側には、カートリッジ収納室２１とフイルムロール室２２との底面を覆うプルトップ式の底蓋３３，３４とがそれぞれ設けられている。底蓋３３は露光済みの写真フイルム１３を収納したカートリッジ本体１２を取り出すときの取り出し遮光蓋となる。また、フイルム支持面３２の本体部１１の開口２８に対面する位置には、フイルム支持面３２よりも背面側に凹まされた凹部３５が形成されている。この凹部３５には、露光ユニット１５のスプロケットと、後述するフイルム検知レバーの一端部とが挿入される。
【００１５】
前カバー１７は、遮光性プラスチックで形成されており、シャッタボタン６，撮影枚数表示窓９等が形成されている。そして前カバー１７には、カートリッジ収納室２１の突出に合わせた突出部３７が形成されており、この突出部３７は撮影時にグリップとなる。前カバー１７は、本体部１１及び後カバー１６に対して爪係合により組み付けられる。
【００１６】
露光ユニット１５は遮光性プラスチックで形成されたベース部３８に、フイルム巻止め機構，フイルムカウンタ機構，シャッタ機構等が組み込まれている。また、ベース部３８の前面側には撮影レンズ７が組み込まれており、ベース部３８の上部にはファインダ８が組み込まれている。
【００１７】
図１に示すように、カートリッジ本体１２は、遮光性プラスチックで成形された第１ケース４０と第２ケース４１と、この第１，第２ケース４０，４１との合わせ目に形成された写真フイルム１３が出入りするフイルム送出口４２と、このフイルム送出口４２の奥に組み込まれ、フイルム送出口４２を遮光する閉じ位置と開放する開き位置との間で回動自在とされた遮光蓋２４と、カートリッジ本体１２内で写真フイルム１３が巻き付けられるスプール２６とから構成されている。
【００１８】
このカートリッジ本体１２は、図示しないが、スプール２６に設けられたカップ状のフランジによって巻き込まれた写真フイルム１３の外周を規制するので、カートリッジ本体１２内の写真フイルム１３は巻き緩みが発生しない。これにより、スプール２６を回転させたときに、その回転を無駄なく写真フイルム１３に伝達させることができ、スプール２６の回転によって写真フイルム１３の送り出しを行なうことができる。
【００１９】
第１ケース４０の内壁には、遮光蓋２４を開き位置と閉じ位置とにロックするロック部材４４が一体に形成されている。このロック部材４４には弾性が付与されており、遮光蓋２４が開き位置にあるときには遮光蓋２４の端部に形成された円筒状の軸端部４５の外周に圧接して遮光蓋２４を保持している。そして、遮光蓋２４が閉じ位置に回動したときには、軸端部４５に形成された切欠部４６に入り込み、遮光蓋２４を閉じ位置にロックする。
【００２０】
また、第１，第２ケース４０，４１の側面には、遮光蓋２４の軸端部４５を外部に露呈させるための穴４８が形成されている。この穴４８は、軸端部４５よりも大きなものとなっている。更に、第１，第２ケース４０，４１の内壁には、カートリッジ本体１２内を写真フイルム１３を収納するフイルム室１２ａと、ロック部材４４が収納されるロック部材室１２ｂとに分けるための隔壁４９が形成されている。この隔壁４９により、ロック部材室１２ｂ内に外光が入っても、フイルム室１２ａ内に外光が入ることはない。
【００２１】
遮光蓋閉止機構２５は、遮光蓋２４の軸端部４５に係合される係合部材５０と、この軸部５０ａが円筒状の軸部５１ａの穴５１ｂに挿通，固着され、遮光蓋２４を開き位置から閉じ位置へ回動させる円盤状の遮光蓋駆動部材５１と、この遮光蓋駆動部材５１を閉じ位置に向けて付勢するバネ５２と、遮光蓋駆動部材５１の突部５１ｃの下面に固着され、カートリッジ本体１２外のフイルム送出口４２の近傍で写真フイルム１３の存在を検知するフイルム検知レバー５３とから構成されている。
【００２２】
遮光蓋駆動部材５１は、カバー板２３の下の上壁２１ａに形成された円形の凹部５５の内部に収納されている。この凹部５５の底部には、フイルム検知レバー５３が挿通される円弧状スリット５５ａと、バネ５２の一端部が係合されるピン５５ｂとが形成されている。バネ５２は、このピン５５ｂと遮光蓋駆動部材５１の縁部に植設されたピン５１ｄとの間に掛け渡されている。円弧状スリット５５ａの円弧長は、遮光蓋駆動部材５１の回動範囲に対応した長さになっている。また、上壁２１ａには、凹部５５に連設して巻上げノブ５のキー軸２７が挿通される穴５６が形成されている。また、カバー板２３には、係合部材５０の軸部５０ａとキー軸２７がそれぞれ挿通される穴２３ａ，２３ｂが形成されている。
【００２３】
係合部材５０は、前記軸部５０ａと、上壁２１ａの下面に形成された凹部５７（図４参照）に遊嵌される鍔部５０ｂと、図５に示すように、軸端部４５の内径４５ａ内に挿入される円柱部５０ｃと、軸端部４５の切欠部４６に当接する断面が扇形の突起部５０ｄとからなる。この突起部５０ｄは、切欠部４６の上部４６ａに当接するように設けられている。ロック部材４４と軸端部４５との当接は、軸端部４５の高さ方向の中間部近くで行なわれるので、図６及び図７に示すように、遮光蓋駆動部材５１が遮光蓋２４を閉じ位置に回動させる間と回動させた後も、突起部５０ｄはロック部材４４に当接しない。これにより、遮光蓋２４を閉じた後のロック部材４４の変形量は僅かとなり、ロック部材４４の塑性変形を防止することができる。
【００２４】
図１及び図８に示すように、フイルム検知レバー５３の先端部５３ａが写真フイルム１３の縁部に当接している間は、遮光蓋駆動部材５１が閉じ位置に回動するのを防止している。そして、図９に示すように、写真フイルム１３の先端部１３ａがフイルム検知レバー５３の先端部５３ａを通過すると、遮光蓋駆動部材５１は、バネ５２の付勢力により開き位置から閉じ位置へ向かって回動を開始する。このとき、写真フイルム１３の面とフイルム検知レバー５３の先端部５３ａとの摩擦がなくなるため、それまでやや重たかった巻上げノブ５の操作が急激に軽くなり、写真フイルム１３の移送速度は速くなる。しかも、フイルム検知レバー５３とフイルム送出口４２との距離はきわめて僅かであるから、写真フイルム１３の先端部１３ａがカートリッジ本体１２内に完全に収納されてから遮光蓋２４が閉じ位置に達する。
【００２５】
写真フイルム１３の先端部１３ａがカートリッジ本体１２内に収納される前に遮光蓋駆動部材５１が閉じ位置に回動された場合には、写真フイルム１３の先端部１３ａが遮光蓋２４に挟まれる可能性があるが、この挟む力はバネ５２の付勢力のみであるから、そのまま巻上げ操作を継続することにより写真フイルム１３の先端部１３ａをカートリッジ本体１２内に完全に収納することができる。
【００２６】
また、遮光蓋２４が閉じ位置に達すると、図７に示すように、ロック部材４４は自身の弾性によって軸端部４５の内径４５ａ側に変位し、ロック部材４４の先端面４４ａが切欠部４６に当接するから、遮光蓋２４が閉じ位置にロックされる。
【００２７】
次に上記実施例の作用について説明する。ユニット本体３の組立に際して、フイルム装填前には、遮光蓋駆動部材５１はバネ５２の付勢によって図９に示す閉じ位置にある。暗室内にて、遮光蓋２４を開き位置にしてカートリッジ本体１２から写真フイルム１３を引き出してフイルムロールを作成する。この後、治具を用いて遮光蓋駆動部材５１をバネ５２の付勢に抗して図１及び図８に示す開き位置にしておき、フイルムロールを斜め上方に保持したままカートリッジ本体１２をカートリッジ収納室２１に挿入してスプール２６をキー軸２７に、また遮光蓋２４の軸端部４５を係合部材５０に、それぞれ係合させる。続いて、フイルムロールをフイルムロール室２２に挿入し、後カバー１６を本体部１１に装着してから遮光蓋駆動部材５１を開き位置に保持していた治具を取り去ると、フイルム検知レバー５３が写真フイルム１３の縁部に当接される。この後、露光ユニット１５の作動テスト等を経て組立が完了したユニット本体３に紙箱４が被せられてレンズ付きフイルムユニット２が完成される。
【００２８】
レンズ付きフイルムユニット２を購入したユーザーは、始めに巻上げノブ５を回転操作して、シャッタチャージ等の撮影準備を行う。その後、ファインダ８で撮影範囲を確認し、シャッタボタン６を押下して１コマ分の撮影を行なう。撮影後には、巻上げノブ５を回転操作して撮影済みの写真フイルム１３をカートリッジ本体１２内に巻き上げる。この時の巻上げノブ５の回転操作では、図１及び図８に示すように、遮光蓋駆動部材５１はフイルム検知レバー５３の先端部５３ａが写真フイルム１３の縁部に当接して開き位置に保持されているので、閉じ位置に回動されることはない。また、ロック部材４４は遮光蓋２４の軸端部４５の外周に圧接しているが、このときのロック部材４４の変形量は僅かなので塑性変形するようなことはない。
【００２９】
以上のように撮影を繰り返し、フイルムロール室２２内に収納された写真フイルム１３への全ての撮影が終了した後には、巻上げノブ５を回転して写真フイルム１３を全てカートリッジ本体１２内に巻き上げるための操作を行なう。写真フイルム１３の巻き上げ途中では、フイルム検知レバー５３の先端部５３ａが写真フイルム１３の縁部に当接してフイルム検知レバー５３が写真フイルム１３の存在を検知しているから、遮光蓋駆動部材５１はバネ５２の付勢に抗して開き位置に保持されている。
【００３０】
写真フイルム１３の巻き上げ操作が進み、図９に示すように、写真フイルム１３の先端部１３ａがフイルム検知レバー５３を通過すると、フイルム検知レバー５３の先端部５３ａは写真フイルム１３に当接しなくなる、すなわち写真フイルム１３を検知しなくなる。このときには、フイルム検知レバー５３は写真フイルム１３に規制されなくなるので、フイルム検知レバー５３は円弧状スリット５５ａに沿って移動可能になり、遮光蓋駆動部材５１はバネ５２の付勢によって開き位置から閉じ位置へ回動を開始する。
【００３１】
フイルム検知レバー５３が写真フイルム１３を検知しなくなると同時に、巻上げノブ５の操作が急激に軽くなるから、写真フイルム１３の移送速度が上昇して写真フイルム１３の先端部１３ａはフイルム送出口４２からカートリッジ本体１２内に高速で収納される。途中で写真フイルム１３の先端部１３ａが遮光蓋２４に挟まれた場合には、巻上げ操作が急激に重くなるが、そのまま巻上げ操作を継続することにより、写真フイルム１３の先端部１３ａをカートリッジ本体１２内に完全に収納することができる。写真フイルム１３の先端部１３ａが遮光蓋２４を通過したときに巻上げ操作が急激に軽くなるので、写真フイルム１３の先端部１３ａをカートリッジ本体１２内に完全に収納されたことが分かる。
【００３２】
写真フイルム１３の先端部１３ａがカートリッジ本体１２内に完全に収納され、遮光蓋駆動部材５１が閉じ位置に回動されると、遮光蓋２４が閉じ位置に達する。これにより、ロック部材４４は、図７に示すように、突起部５０ｄと接触することなく、自身の弾性で軸端部４５の内径４５ａ側へ変位し、先端面４４ａが軸端部４５の切欠部４６に当接するように係合して遮光蓋２４を閉じ位置にロックする。
【００３３】
使用済みのレンズ付きフイルムユニット２は、ユーザーによって現像取扱店等に同時プリントの依頼が行なわれ、この取扱店から現像所に送られる。現像所では紙箱４が取り除かれて、ユニット本体３からカートリッジ本体１２を取り出す作業が行なわれる。このカートリッジ本体１２の取り出しは、巻上げノブ５を回転操作して、写真フイルム１３が全てカートリッジ本体１２内に巻き上げられているかを確認し、その後ドライバー等の工具を利用して底蓋３３がこじ開けられる。カートリッジ本体１２の遮光蓋２４は閉じ位置に回動され、更にロック部材４４によってロックされているので、この取り出し作業は明室で行なうことができる。
【００３６】
以上説明した実施例では、本発明の遮光蓋閉止機構をレンズ付きフイルムユニットに適用した例であったが、コンパクトカメラ等にも適用できる。この場合には、例えば円柱部５０ｃに一体に形成した突起部５０ｄを高さ方向に長くし、写真フイルムカートリッジをカートリッジ収納室に装填した際に、突起部５０ｄによってロック部材４４が切欠部４６から離れる方向へ押し退けられるようにして遮光蓋が閉じ位置から開き位置に回動されるようにする。また、上記実施例では、遮光蓋閉止機構をカートリッジ収納室の上壁に設けたが、底蓋側に設けてもよい。
【００３７】
【発明の効果】
以上説明したように、本発明の遮光蓋閉止機構によれば、写真フイルムの収納操作に伴ってフイルム検知レバーが写真フイルムを検知しなくなると、フイルム検知レバーと一体に設けた遮光蓋駆動部材がバネの付勢によって遮光蓋を開き位置から閉じ位置に回動するので、写真フイルムの収納操作によって写真フイルムカートリッジの遮光蓋は確実に閉じられる。したがって、カートリッジ収納室を開放する以前に写真フイルムカートリッジの遮光蓋が閉じられているから、写真フイルムが光被りを起こすことなく写真フイルムカートリッジのカートリッジ収納室からの取り出しを安全，確実に行なうことができる。
【００３８】
また、前記遮光蓋駆動部材は、開き位置から閉じ位置に回動する際に、遮光蓋をロックするロック部材に当接しない位置で遮光蓋の端部に係合するようにすると、遮光蓋を長時間閉じ位置にしたままでもロック部材の変形はほとんどなく、ロック部材の塑性変形を防止することができる。
【図面の簡単な説明】
【図１】本発明の遮光蓋閉止機構の構成を示す分解斜視図である。
【図２】レンズ付きフイルムユニットの外観を示す斜視図である。
【図３】ユニット本体の構成を示す分解斜視図である。
【図４】遮光蓋閉止機構の構成を側方から示す断面図である。
【図５】遮光蓋が開き位置にあるときの係合部材と遮光蓋の軸端部とロック部材との関係を示す説明図である。
【図６】図５に示した状態を上方から観た説明図である。
【図７】遮光蓋が閉じ位置にあるときの係合部材と遮光蓋の軸端部とロック部材との関係を示す説明図である。
【図８】遮光蓋が開き位置にあるときの遮光蓋駆動部材の状態を示す説明図である。
【図９】遮光蓋が閉じ位置にあるときの遮光蓋駆動部材の状態を示す説明図である。
【符号の説明】
２  レンズ付きフイルムユニット
５  巻上げノブ
１２  カートリッジ
１３  写真フイルム
１４  写真フイルムカートリッジ
２１  カートリッジ収納室
２３  カバー板
２４  遮光蓋
２５  遮光蓋閉止機構
４２  フイルム送出口
４４  ロック部材
４５  軸端部
５０  係合部材
５１  遮光蓋駆動部材
５２  バネ
５３  フイルム検知レバー
５５，５７  凹部
【図１】
0003668290.tif 000002
【図２】
0003668290.tif 000003
【図３】
0003668290.tif 000004
【図４】
0003668290.tif 000005
【図５】
0003668290.tif 000006
【図６】
0003668290.tif 000007
【図７】
0003668290.tif 000008
【図８】
0003668290.tif 000009
【図９】
0003668290.tif 000010